(57)【要約】【課題】読み取り画像内での用紙のエッジ検出とキャリブレーション画像の適正な読み取りが可能な画像読取装置を提供する。【解決手段】キャリブレーション用のパッチ４０が形成された用紙４１を読み取る際に、用紙４１のエッジを跨ぐ部分が黒色で中央部が白色の背景板３２ｃを使用する。該背景板３２ｃを使用して読み取ることで、用紙４１のエッジと背景板３２ｃの黒部分との境界に生じる濃度差から読み取り画像４２上で用紙のエッジを検出でき、かつ、パッチ４０の部分は、背景板３２ｃの白部分を背景にして読み取ることができる。【選択図】図４
2014116676.tif 000002
【特許請求の範囲】
【請求項１】
キャリブレーション用の画像が形成された用紙をその外側領域を含めて読み取る読取部と、
前記読取部に対向配置されて、前記読取部で前記用紙を読み取る際に該用紙の裏面側に位置する背景板と、
を備え、
前記背景板は、前記読取部で前記用紙を読み取る際に、前記用紙のエッジを跨ぐ部分は高濃度部に、前記用紙の前記キャリブレーション用の画像が形成された箇所に対応する部分は低濃度部になるようにされている
ことを特徴とする画像読取装置。
【請求項２】
キャリブレーション用の画像が形成された用紙を搬送する搬送部を有し、
前記読取部は、前記搬送部の搬送路上の所定の読み取り位置において前記搬送部によって搬送される前記用紙を該用紙の搬送方向と異なる第１方向に該用紙の両外側領域を含めて繰り返し読み取ることを、前記用紙とその前後の所定範囲が前記読み取り位置を通過する間に行うことで、前記用紙をその外側領域を含む２次元の画像として読み取り、
前記背景板は、前記第１方向の存在範囲が前記用紙とその両外側領域に及ぶ
ことを特徴とする請求項１に記載の画像読取装置。
【請求項３】
１枚の前記用紙とその外側領域を読み取る間は、前記用紙の前記第１方向の両端のエッジを跨ぐ部分が高濃度部にされ、前記用紙の前記キャリブレーション用の画像が形成された箇所に対応する部分が低濃度部にされた固定の濃淡パターンを有する１枚の背景板を使用する
ことを特徴とする請求項２に記載の画像読取装置。
【請求項４】
前記背景板は、前記用紙の前記搬送方向の全範囲で前記キャリブレーション用の画像が形成されていない箇所に対応する部分をさらに高濃度部にする
ことを特徴とする請求項３に記載の画像読取装置。
【請求項５】
前記用紙の前記搬送方向の端部を前記読み取り位置の上流で検出する用紙センサと、
前記用紙センサの検出結果から前記用紙の前記搬送方向の端部が前記読取部の前記読み取り位置を通過するタイミングを求め、該タイミングを基準にして、前記読み取り位置において前記読取部に対向配置される前記背景板の濃淡パターンを前記用紙の読み取り動作中に切り替える背景板切り替え部と、
をさらに有する
ことを特徴とする請求項２に記載の画像読取装置。
【請求項６】
前記背景板切り替え部は、前記用紙の前記搬送方向の端部が前記読取部の前記読み取り位置を通過する前後の所定期間は、前記読み取り位置で前記読取部に対向配置される前記背景板の全体を前記高濃度部にする
ことを特徴とする請求項５に記載の画像読取装置。
【請求項７】
前記背景板切り替え部は、前記キャリブレーション用の画像が形成された箇所が前記読み取り位置を通過する間は、前記読み取り位置で前記読取部に対向配置される前記背景板の全体を前記低濃度部にする、もしくは、前記読み取り位置で前記読取部に対向配置される前記背景板の前記用紙の前記第１方向の両エッジを跨ぐ部分は前記高濃度部に、これらの高濃度部の間は低濃度部にする
ことを特徴とする請求項５または６に記載の画像読取装置。
【請求項８】
前記用紙を前記読取部で読み取って得た読み取り画像における前記用紙のエッジ位置を、前記高濃度部と前記用紙の地の色との濃度差に基づいて検出し、該検出したエッジ位置を基準に前記読み取り画像の中の前記キャリブレーション用の画像の位置を特定する解析部を有する
ことを特徴とする請求項１乃至７のいずれか１つに記載の画像読取装置。
【発明の詳細な説明】
【技術分野】
【０００１】
本発明は、キャリブレーション画像の形成された用紙を光学的に読み取る画像読取装置に関する。
【背景技術】
【０００２】
印刷装置の色再現性や印刷位置を調整する等の目的で、色や濃度の異なる多数のパッチが配置されたキャリブレーション画像が印刷された用紙（キャリブレーションチャート）を画像読取装置で光学的に読み取ることが行われる。
【０００３】
通常、画像読取装置では、背景の影響を受けないようにするために、用紙の裏面側に白色の背景板を当接配置した状態で読み取りが行われる。
【０００４】
なお、背景板に関する技術として、読み込み部のスリットガラスの汚れを検出するために、白色の背景板（黒の汚れ検出用）と黒色の背景板（白の汚れ検出用）とを切り替える技術がある（特許文献１参照）。また、搬送方向に対して用紙が基準以上に斜めになっている場合に裏当てを黒に切り替えて画像を読み取り、その読み取り画像を解析して斜行量を算出する技術がある（特許文献２参照）。
【先行技術文献】
【特許文献】
【０００５】
【特許文献１】特開２００７−１５０４３１号公報
【特許文献２】特開２００２−３００３６７号公報
【発明の概要】
【発明が解決しようとする課題】
【０００６】
様々な用紙サイズのキャリブレーションチャートを画像読取装置で読み取り、その読み取り画像内でのパッチの位置を自動検出する場合、用紙のエッジ位置を検出できれば、ここを基準にしてパッチの位置を正確に求めることができる。しかし、キャリブレーションチャートの読み取りに、全体が白色の背景板を使用すると、用紙の地の色と背景板との濃度差がほとんどないので、読み取り画像の中で用紙のエッジを正確に認識することはできない。
【０００７】
そのため、
・パッチの探索範囲を広くしなければならず、処理量が増える
・パッチを探すためにパターン認識など高度の画像処理が必要になる
・誤検出の可能性が増える
・パッチの位置の検出精度が下がり、各パッチを小さくできない
といった問題が生じる。
【０００８】
キャリブレーションチャートの読み取りに黒色の背景板を使用すると、用紙の地の色と背景板との濃度差が大きいので、読み取り画像の中で用紙のエッジを正確に認識することは可能になる。しかし、通常、オフィス機器の分野では原稿を読み取る際に白色の背景板が使用されるので、階調や色再現の補正のためのキャリブレーションチャートを黒色の背景板で読み取ると、特に用紙が薄い場合に、不適切な補正が行われてしまう。
【０００９】
本発明は、上記の問題を解決しようとするものであり、読み取り画像内での用紙のエッジ検出とキャリブレーション画像の適正な読み取りが可能な画像読取装置を提供することを目的としている。
【課題を解決するための手段】
【００１０】
かかる目的を達成するための本発明の要旨とするところは、次の各項の発明に存する。
【００１１】
［１］キャリブレーション用の画像が形成された用紙をその外側領域を含めて読み取る読取部と、
前記読取部に対向配置されて、前記読取部で前記用紙を読み取る際に該用紙の裏面側に位置する背景板と、
を備え、
前記背景板は、前記読取部で前記用紙を読み取る際に、前記用紙のエッジを跨ぐ部分は高濃度部に、前記用紙の前記キャリブレーション用の画像が形成された箇所に対応する部分は低濃度部になるようにされている
ことを特徴とする画像読取装置。
【００１２】
上記発明では、読取部は、用紙の外側領域を含めて読み取り、背景板は、読取部でキャリブレーション用の画像の形成された用紙を読み取る際に、該用紙のエッジを跨ぐ部分は高濃度部に、該用紙のうちのキャリブレーション用の画像が形成された箇所に対応する部分は低濃度部になるようにされる。これにより、用紙の地の色と高濃度部との濃度差に基づいて、読み取り画像内での用紙のエッジ位置が検出可能になる。また、キャリブレーション用の画像は低濃度部を背景にして適切に読み取られる。なお、読取部はライン単位の読み取り位置と用紙とを相対移動させて用紙とその外側領域を２次元画像として読み取るものであってもよいし、用紙とその外側領域を含む範囲全体を２次元画像として一度に読み取るものであってもよい。
【００１３】
［２］キャリブレーション用の画像が形成された用紙を搬送する搬送部を有し、
前記読取部は、前記搬送部の搬送路上の所定の読み取り位置において前記搬送部によって搬送される前記用紙を該用紙の搬送方向と異なる第１方向に該用紙の両外側領域を含めて繰り返し読み取ることを、前記用紙とその前後の所定範囲が前記読み取り位置を通過する間に行うことで、前記用紙をその外側領域を含む２次元の画像として読み取り、
前記背景板は、前記第１方向の存在範囲が前記用紙とその両外側領域に及ぶ
ことを特徴とする［１］に記載の画像読取装置。
【００１４】
上記発明では、読取部は、搬送部によって搬送される用紙を、その搬送方向と異なる第１方向のライン単位に読み取ることを繰り返し行うことで２次元画像を読み取る。ライン単位の読み取り範囲は用紙の両外側領域に及ぶ。背景板は、ライン単位の読み取り範囲と同様の用紙の両外側領域に及ぶ。読取部がライン単位の読み取りを繰り返す期間は、用紙とその前後の所定範囲が読み取り位置を通過する期間にされる。これにより、用紙とその四方の外側領域を含む範囲が読み取られる。該外側領域では背景板が読み取られる。
【００１５】
［３］１枚の前記用紙とその外側領域を読み取る間は、前記用紙の前記第１方向の両端のエッジを跨ぐ部分が高濃度部にされ、前記用紙の前記キャリブレーション用の画像が形成された箇所に対応する部分が低濃度部にされた固定の濃淡パターンを有する１枚の背景板を使用する
ことを特徴とする［２］に記載の画像読取装置。
【００１６】
上記発明では、１枚の用紙の読み取り中は、固定の濃淡パターンを有する１枚の背景板が使用される。この背景板は、たとえば、用紙の幅方向の両エッジを跨ぐように両端部に高濃度部を備え、それらの間に低濃度部を有する濃淡パターンにされる。
【００１７】
［４］前記背景板は、前記用紙の前記搬送方向の全範囲で前記キャリブレーション用の画像が形成されていない箇所に対応する部分をさらに高濃度部にする
ことを特徴とする［３］に記載の画像読取装置。
【００１８】
上記発明では、ライン単位の読み取り方向の任意の位置において搬送方向の全範囲でキャリブレーション画像がなければ、その位置ではキャリブレーション用の画像を読み取ることがないので、該位置に対応する部分を高濃度部にする。これにより、用紙の先端および後端のエッジ検出に利用可能な高濃度部を増やすことができ、検出精度を高めることができる。
【００１９】
［５］前記用紙の前記搬送方向の端部を前記読み取り位置の上流で検出する用紙センサと、
前記用紙センサの検出結果から前記用紙の前記搬送方向の端部が前記読取部の前記読み取り位置を通過するタイミングを求め、該タイミングを基準にして、前記読み取り位置において前記読取部に対向配置される前記背景板の濃淡パターンを前記用紙の読み取り動作中に切り替える背景板切り替え部と、
をさらに有する
ことを特徴とする［２］に記載の画像読取装置。
【００２０】
上記発明では、用紙の読み取り中に、背景板の濃淡パターンを切り替える。たとえば、用紙の先端および後端の前後を読み取る間は、読み取り方向の全範囲で高濃度部の背景板を使用し、搬送方向で用紙の中間部分を読み取る間は用紙の幅方向両端のエッジを跨ぐ部分のみ高濃度部で中央が低濃度の背景板を使用する、あるいは、用紙の先端および後端の前後を読み取る間は、用紙の幅方向両端のエッジを跨ぐ部分のみ高濃度部で中央が低濃度の背景板を使用し、搬送方向で用紙の中間部分を読み取る間は読み取り方向の全体が低濃度部の背景板を使用する、というように背景板を切り替える。
【００２１】
［６］前記背景板切り替え部は、前記用紙の前記搬送方向の端部が前記読取部の前記読み取り位置を通過する前後の所定期間は、前記読み取り位置で前記読取部に対向配置される前記背景板の全体を前記高濃度部にする
ことを特徴とする［５］に記載の画像読取装置。
【００２２】
上記発明では、用紙の先端および後端の前後を読み取る間は、読み取り方向の全範囲で高濃度部の背景板を使用するように切り替える。
【００２３】
［７］前記背景板切り替え部は、前記キャリブレーション用の画像が形成された箇所が前記読み取り位置を通過する間は、前記読み取り位置で前記読取部に対向配置される前記背景板の全体を前記低濃度部にする、もしくは、前記読み取り位置で前記読取部に対向配置される前記背景板の前記用紙の前記第１方向の両エッジを跨ぐ部分は前記高濃度部に、これらの高濃度部の間は低濃度部にする
ことを特徴とする［５］または［６］に記載の画像読取装置。
【００２４】
上記発明では、キャリブレーション用の画像が形成された箇所が前記読み取り位置を通過する間、たとえば、用紙の先端および後端の近傍以外の部分が通過する間は、読み取り方向の全体が低濃度の背景板を使用する、あるいは、両端が高濃度部で中央が低濃度部の背景板を使用する。
【００２５】
［８］前記用紙を前記読取部で読み取って得た読み取り画像における前記用紙のエッジ位置を、前記高濃度部と前記用紙の地の色との濃度差に基づいて検出し、該検出したエッジ位置を基準に前記読み取り画像の中の前記キャリブレーション用の画像の位置を特定する解析部を有する
ことを特徴とする［１］乃至［７］のいずれか１つに記載の画像読取装置。
【発明の効果】
【００２６】
本発明に係る画像読取装置によれば、読み取り画像内での用紙のエッジ検出とキャリブレーション画像の適正な読み取りが可能になる。
【図面の簡単な説明】
【００２７】
【図１】本発明の実施の形態に係る画像読取装置を含む印刷システムの構成例を示す図である。
【図２】本発明の実施の形態に係る画像読取装置の電気的な概略構成を示すブロック図である。
【図３】本発明の実施の形態に係る画像読取装置の機械的な概略構成を示す図である、
【図４】背景板ユニットの複合背景部材の６つの側面に設けられた６種類の背景板を示す図である。
【図５】読取部による読み取り範囲と、用紙と、背景板の濃淡パターンとの位置関係等を示す図である。
【図６】１枚の背景板を固定的に使用してキャリブレーションチャートを読み取る様子と、その読み取り画像を示す図である。
【図７】用紙サイズに応じて背景板を切り替える例を示す図である。
【図８】両端および中央に部分的な高濃度部を有する１枚の背景板を固定的に使用してキャリブレーションチャートを読み取る様子と、その読み取り画像を示す図である。
【図９】全体が黒（高濃度部）の背景板と全体は白（低濃度部）の背景板とに読み取り動作中に切り替える場合の読み取り画像等を示す図である。
【図１０】全体が黒（高濃度部）の背景板と全体は白（低濃度部）の背景板とに読み取り動作中に切り替える場合の読み取り画像等の他の例を示す図である。
【図１１】全体が黒（高濃度部）の背景板と両端が高濃度部で中央が低濃度部の背景板とに読み取り動作中に切り替える場合の読み取り画像等を示す図である。
【図１２】全体が白（低濃度部）の背景板と両端が高濃度部で中央が低濃度部の背景板とに読み取り動作中に切り替える場合の読み取り画像等を示す図である。
【図１３】用紙のエッジからパッチの位置を推定する手順の概念を示す図である。
【図１４】背景板ユニットの他の構成例を示す図である。
【発明を実施するための形態】
【００２８】
以下、図面に基づき本発明の実施の形態を説明する。
【００２９】
図１は、本発明の実施の形態に係る画像読取装置１０を含む印刷システム３の構成例を示している。印刷システム３は、印刷装置５とその後段に接続された画像読取装置１０とから構成される。印刷システム３は、キャリブレーション用の画像（多数のパッチ）が用紙上に形成されたキャリブレーションチャートを、印刷開始前や印刷中の適宜のタイミングで印刷装置５にて印刷出力し、このキャリブレーションチャートを後段の画像読取装置１０で直ちに読み取ってその画像を解析し、色再現性や印刷位置の補正を自動的に行う機能を備えている。
【００３０】
このため、印刷システム３では、キャリブレーションチャートを画像読取装置１０で読み取って得た読み取り画像内にある各パッチの位置を自動的に精度よく検出することが要請される。
【００３１】
そこで、画像読取装置１０は、キャリブレーションチャートを読み取る際に、読取部にて該用紙（キャリブレーションチャート）とその周囲の外側領域を含む範囲を光学的に読み取ると共に、この読取部に対向配置されて、読み取り対象の用紙の裏当てとなる背景板に、濃淡パターンを設ける、あるいは背景板を読み取り中に切り替えることで、背景板のうち用紙のエッジを跨ぐ部分は黒色等の高濃度部に、パッチが形成された箇所に対応する部分は白色等の低濃度部にする。これにより、用紙の地の色と高濃度部との濃淡差が大きくなり、読み取り画像において用紙のエッジを容易に検出することができる。また、パッチ部分の裏当ては、白色等の低濃度部になるので、キャリブレーション用のパッチを適切に読み取ることができる。
【００３２】
図２は、画像読取装置１０の電気的な概略構成を示すブロック図である。画像読取装置１０は、当該画像読取装置１０の動作を統括的に制御するＣＰＵ(Central Processing Unit)１１を有している。ＣＰＵ１１にはバスを通じてＲＯＭ(Read Only Memory)１２、ＲＡＭ(Random Access Memory)１３、不揮発メモリ１４、読取部２０、背景板ユニット３０、搬送部１５、用紙センサ１６、解析部１７、外部Ｉ／Ｆ（Interface）部１８などが接続されている。
【００３３】
ＣＰＵ１１は、ＯＳ（Operating System）プログラムをベースとし、その上で、ミドルウェアやアプリケーションプログラムなどを実行する。ＲＯＭ１２にはプログラムが格納されており、該プログラムに従ってＣＰＵ１１が各種処理を実行することで画像読取装置１０の機能が実現される。
【００３４】
ＲＡＭ１３は、ＣＰＵ１１がプログラムに基づいて処理を実行する際に各種のデータを一時的に格納するワークメモリや読み取って得た画像データ（読み取り画像）を格納する画像メモリなどとして使用される。
【００３５】
不揮発メモリ１４は、電源をオフにしても記憶内容が破壊されないメモリ（フラッシュメモリ）であり、各種設定情報の保存などに使用される。
【００３６】
搬送部１５は、上流の印刷装置５から到来する用紙を受け入れ、該用紙を、後述する読取部２０の読み取り位置を通過させて、さらに下流の排出口から排出されるように搬送する機能を果たす。
【００３７】
読取部２０は、搬送部１５によって搬送される用紙およびその周囲の外側領域を光学的に読み取って、用紙とその外側領域を含む２次元画像の画像データを取得する機能を果たす。読取部２０は、搬送部１５の搬送路上の所定の読み取り位置において、読み取り対象の用紙に光を照射する光源と、その反射光を受けて、用紙を、搬送方向と略垂直な方向（読み取り方向とする）に１ライン分読み取るラインイメージセンサなどを備えて構成される。読み取り位置は、ラインイメージセンサが１ライン分の画像を読み取る搬送経路上の特定の位置である。読み取り位置でのライン単位の読み取り動作を、搬送部１５によって用紙を搬送しながら繰り返し行うことで、読取部２０は、用紙をその周囲を含む２次元の画像として読み取る。
【００３８】
背景板ユニット３０は、読取部２０と対向配置される背景板を切り替える機能を果たす。背景板ユニット３０の詳細は後述する。
【００３９】
用紙センサ１６は、搬送部１５によって搬送される用紙の端部（搬送方向の先端、後端）を、読取部２０の読み取り位置の上流で検出する。用紙センサ１６には、光センサ等が使用される。
【００４０】
解析部１７は、読取部２０で用紙を光学的に読み取って得た読み取り画像を解析して、読み取り画像内での用紙のエッジ位置を検出し、このエッジ位置を基準にして読み取り画像内での各パッチの位置を正確に求める機能を果たす。なお、解析部１７は画像読取装置１０が備える必要はなく、外部装置や印刷装置５に設けられてもかまわない。
【００４１】
外部Ｉ／Ｆ部１８は、読み取り画像の画像データ、解析部１７での解析結果等を印刷装置５やその他の外部装置へ出力する機能を果たす。
【００４２】
図３は、画像読取装置１０の主要部の機械的な概略構成を示している。搬送部１５は、用紙の進路を規制して用紙の搬送経路を形成する搬送ガイド板１５ａと、搬送経路上の用紙を表裏から挟持するように配置された搬送ローラ１５ｂと、搬送ローラ１５ｂを回転駆動する図示省略のモータなどで構成される。
【００４３】
搬送経路の中間位置の近傍には読取部２０が設けられている。搬送部１５によって搬送される用紙の表面側を読取部２０で光学的に読み取るようになっている。背景板ユニット３０は読み取り位置を通る用紙の裏面側に位置するように、読取部２０から僅かに離して、読取部２０に対向配置されている。背景板ユニット３０は、多角柱（ここでは正六角形柱）の形状であってその長手方向に沿った各側面に異なる濃淡パターンの背景板が設けられた複合背景部材３１と、複合背景部材３１を回転させて読取部２０に対向する側面を切り替える図示省略のモータなどで構成される。複合背景部材３１は、その長手方向が読取部２０のライン単位の読み取り方向と同一方向にされている。
【００４４】
図４は、背景板ユニット３０の複合背景部材３１を示している。同図（ａ）は複合背景部材３１の端面を、同図（ｂ）は斜視図を、同図（ｃ）は６つの側面に設けられた６種類の背景板３２ａ〜３２ｆの濃淡パターンを示している。
【００４５】
背景板３２ａは全範囲が黒色となっている。背景板３２ｂ、３２ｃ、３２ｄ、３２ｅはそれぞれ長手方向（読み取り方向）の両端部が黒色（高濃度部）でそれらの間は白色（低濃度部）になっている。低濃度部の長さは読み取り対象の用紙サイズ（用紙の幅方向のサイズ）に応じて定められている。複合背景部材３１は、低濃度部の長さが異なる複数の背景板３２ｂ〜３２ｅを有することで、複数種類の用紙サイズに対応可能となっている。背景板３２ｆは全範囲が白色であり、シェーディング補正用のデータを読み取るために使用される。
【００４６】
なお、画像読取装置１０は印刷装置５などから用紙サイズの情報を受け取る、あるいは、自装置の搬送経路の入口部等に用紙サイズ（幅）を検知するセンサを設けることで、読み取り対象の用紙サイズを認識するようになっている。
【００４７】
図５は、読取部２０による読み取り範囲と、用紙と、両端部が高濃度部でその間が低濃度部となっている背景板３２ｃとの関係を示している。図５では、背景板３２ｃを例に説明するが、他の背景板３２ｂ、３２ｄ、３２ｅについても同様である。
【００４８】
読取部２０の読み取り方向の各ラインにおける読み取り範囲Ｒｈは、読み取り対象の用紙Ｐの幅Ｗより大きくされており、用紙Ｐの幅方向の両外側領域Ｅｈを含む範囲になっている。背景板３２ｃの両端に設けられた高濃度部分は用紙Ｐの幅方向の端部（エッジ）をそれぞれ跨ぐように設けられている。
【００４９】
読取部２０による用紙Ｐの搬送方向の読み取り範囲Ｒｖは、読み取り対象の用紙Ｐの長さＬより大きくされており、用紙Ｐの先端および後端からさらに所定長の外側領域Ｅｖを含む範囲になっている。このように、読取部２０は、読み取り方向にＲｈ、搬送方向にＲｖの長さを有する矩形の領域（図中、斜線を施した領域）Ｒを読み取ることで、用紙Ｐをその四方の外側領域を加えた範囲で読み取る。
【００５０】
図６は、背景板３２ｃを裏当てに使用してキャリブレーション用のパッチ４０が形成されたキャリブレーションチャート４１を読み取る様子と、その読み取り画像４２を示している。図６および後述する図７、図８では、１枚のキャリブレーションチャートとその周囲を読み取る間は１枚の背景板が固定的に使用される。
【００５１】
搬送方向の読み取り範囲Ｒｖのうち、キャリブレーションチャート４１の先端より前の外側領域および後端より後ろの外側領域では、読み取り方向の全範囲Ｒｈにおいて背景板３２ｃが読み取られ、搬送方向の読み取り範囲Ｒｖのうちキャリブレーションチャート４１が存在する範囲では、キャリブレーションチャート４１の幅方向（読み取り方向）の両外側領域において背景板３２ｃの高濃度部が読み取られる。
【００５２】
キャリブレーションチャート４１の幅方向の両エッジ（搬送方向に沿ったエッジ）の検出は、用紙の地の色と背景板３２ｃの高濃度部分との境界が大きな濃度差となって用紙の全長に現われることで可能となる。キャリブレーションチャート４１の先端および後端のエッジについては、用紙の地の色と背景板３２ｃの高濃度部分との境界が大きな濃度差となって用紙の四隅近傍（図中、破線の楕円４３で示す部分）に現われることで検出可能になる。
【００５３】
一方、パッチ４０が存在する部分は、背景板３２ｃのうちの白色の部分（低濃度部）になっているので、シェーディング補正用の背景板３２ｆを使用した場合と同じ条件でパッチ４０を読み取ることができる。
【００５４】
図７は、用紙サイズに応じて背景板を切り替える例を示している。同図（ａ）は、たとえばＡ４サイズのキャリブレーションチャート４１に対して背景板３２ｃを使用した例である。同図（ｂ）は、同図（ａ）のキャリブレーションチャート４１より幅の狭いキャリブレーションチャート４５に対して背景板３２ｃより低濃度部の長さが短い背景板３２ｂを使用した例である。いずれの場合も、両端の高濃度部は、対応する用紙４１、４５の幅方向の両エッジを跨ぐ位置に配置されている。また、高濃度部の間の低濃度部は、対応するキャリブレーションチャート４１，４５においてパッチ４０の存在する箇所をカバーしている。
【００５５】
図８は、両端部のほかに低濃度部の適所に高濃度部を設けた背景板５０と、これに対応するキャリブレーションチャート５１と、背景板５０を使用してキャリブレーションチャート５１を読み取って得た読み取り画像５２を示している。背景板５０には、低濃度部の中の３箇所に部分的な高濃度部５０ａが設けられている。
【００５６】
部分的な高濃度部５０ａは、キャリブレーションチャート５１の搬送方向の全範囲においてキャリブレーション用の画像（パッチ４０）が形成されていない箇所に対応する部分に設けられる。なお、背景板５０のデザインを先に行い、該背景板５０において部分的な高濃度部５０ａが存在する箇所を避けるようにしてキャリブレーションチャート５１におけるパッチ４０の配置を定めるようにしてもよい。
【００５７】
図８に示す背景板５０を使用することで、図６に示す背景板３２ｃを使用する場合に比べて、キャリブレーションチャート５１の先端および後端において用紙と部分的な高濃度部５０ａとの境界にも大きな濃度差が生じるので（図中、破線の円５３で示す部分）、これらを利用することで、より正確にキャリブレーションチャート５１の先端および後端のエッジを検出することができる。
【００５８】
次に、１枚のキャリブレーションチャートおよびその周囲の読み取り中に背景板を切り替える場合について説明する。
【００５９】
図９は、用紙の裏当てに使用する背景板を、全体が黒（高濃度部）の背景板３２ａと、全体が白（低濃度部）の背景板３２ｆとに読み取り中に切り替える場合を示している。図の左側には読み取り中の背景板の遷移を示し、図の中央には読み取られるキャリブレーションチャート４１を示し、図の右側には読み取り画像４７を示している。
【００６０】
搬送部１５によって搬送されて来るキャリブレーションチャート４１の先端および後端を用紙センサ１６によって読み取り位置の上流で検出する。背景板ユニット３０は、この検出結果に基づいてキャリブレーションチャート４１の先端、後端が読み取り位置を通過するタイミングを認識する。そして、図９に示すタイミングで背景板３２ａと背景板３２ｆとを切り替える。
【００６１】
詳細には、読み取り開始前から、キャリブレーションチャート４１の先端から所定の長さだけ後端側の箇所が読み取り位置を通過するまでの期間Ｖ１は、全体が黒の背景板３２ａを使用する。その後、全体が白の背景板３２ｆに切り替える。全体が白の背景板３２ｆは、キャリブレーションチャート４１の後端から所定の長さだけ先端側の箇所が読み取り位置を通過するまで（期間Ｖ２）使用し、その後、再び全体が黒の背景板３２ａに切り替える（期間Ｖ３）。
【００６２】
これにより、キャリブレーションチャート４１の先端および後端のエッジは、用紙の地の色と背景板３２ａとの境界が大きな濃度差となって用紙の幅方向全体に渡って現われることで検出可能となる。キャリブレーションチャート４１の幅方向の両エッジについては、用紙の地の色と背景板３２ａとの境界が大きな濃度差となって用紙の四隅近傍（図中、破線の楕円４８で示す部分）に現われることで検出可能になる。
【００６３】
一方、パッチ４０が存在する部分では、全体が白の背景板３２ｆが使用されるので、シェーディング補正時と同じ条件でパッチ４０を読み取ることができる。
【００６４】
図１０は、用紙の幅方向全体にパッチのない領域が用紙の長手方向の途中に存在するキャリブレーションチャート６１を読み取る場合に、そのパッチのない領域を読み取るタイミングで全体が黒の背景板３２ａに切り替える場合を示している。図９と同様に、図の左側には読み取り中の背景板の遷移を示し、図の中央には読み取られるキャリブレーションチャート６１を示し、図の右側には読み取り画像６２を示している。
【００６５】
搬送部１５によって搬送されて来るキャリブレーションチャート６１の先端および後端を用紙センサ１６によって読み取り位置の上流で検出する。背景板ユニット３０は、この検出結果に基づいてキャリブレーションチャート６１の先端、後端が読み取り位置を通過するタイミングを認識して、図１０に示すタイミングで背景板３２ａと背景板３２ｆとを切り替える。
【００６６】
詳細には、読み取り開始前から、キャリブレーションチャート６１の先端から所定の長さだけ後端側の箇所が読み取り位置を通過するまでの期間Ｖ１は、全体が黒の背景板３２ａを使用する。その後、全体が白の背景板３２ｆに切り替え、前半のパッチ群４０ａが存在する間は白の背景板３２ｆが使用される（期間Ｖ２）。前半のパッチ群４０ａが読み取り位置を通過した後、パッチ４０の存在しない領域を読み取っている間は全体が黒の背景板３２ａに切り替える（期間Ｖ３）。そして、再び全体が白の背景板３２ｆに切り替える。後半のパッチ群４０ｂを読み取っている間は白の背景板３２ｆを使用し（期間Ｖ４）、用紙の後端から所定の長さだけ先端側の箇所が読み取り位置を通過したら、再び全体が黒の背景板３２ａに切り替える（期間Ｖ５）。
【００６７】
これにより、キャリブレーションチャート６１の先端および後端のエッジは、用紙の地の色と背景板３２ａとの境界が大きな濃度差となって用紙の幅方向全体に渡って現われることで検出可能となる。キャリブレーションチャート６１の幅方向の両エッジについては、用紙の地の色と背景板３２ａとの境界が大きな濃度差となって、用紙の四隅近傍（図中、破線の楕円４８で示す部分）および期間Ｖ３に読み取った部分（図中、破線の楕円６４で示す部分）に現われることで検出可能になる。図９の場合に比べて楕円６４で示す部分でもエッジを検出できるので、キャリブレーションチャート６１の幅方向の両エッジの検出精度が向上する。
【００６８】
図１１は、用紙の裏当てに使用する背景板を、全体が黒（高濃度部）の背景板３２ａと、両端が高濃度部で中間が低濃度部の背景板３２ｃとに読み取り中に切り替える場合を示している。図の左側には読み取り中の背景板の遷移を示し、図の中央には読み取られるキャリブレーションチャート６１を示し、図の右側には読み取り画像６５を示している。
【００６９】
搬送部１５によって搬送されて来るキャリブレーションチャート６１の先端および後端を用紙センサ１６によって読み取り位置の上流で検出する。背景板ユニット３０は、この検出結果に基づいてキャリブレーションチャート６１の先端、後端が読み取り位置を通過するタイミングを認識する。そして、図１１に示すタイミングで背景板３２ａと背景板３２ｃとを切り替える。
【００７０】
詳細には、読み取り開始前から、キャリブレーションチャート６１の先端から所定の長さだけ後端側の箇所が読み取り位置を通過するまでの期間Ｖ１は、全体が黒の背景板３２ａを使用する。その後、両端部が高濃度部で中間が低濃度部の背景板３２ｃに切り替える。背景板３２ｃは、キャリブレーションチャート６１の後端から所定の長さだけ先端側の箇所が読み取り位置を通過するまで（期間Ｖ２）使用し、その後、再び、全体が黒の背景板３２ａに切り替える（期間Ｖ３）。
【００７１】
これにより、キャリブレーションチャート６１の先端および後端のエッジは、用紙の地の色と背景板３２ａとの境界が大きな濃度差となって用紙の幅方向全体に渡って現われることで検出可能となる。また、キャリブレーションチャート６１の幅方向の両エッジ（搬送方向に沿ったエッジ）は、用紙の地の色と背景板３２ｃの高濃度部分との境界が大きな濃度差となって用紙の搬送方向全長に渡って現われることで検出可能となる。
【００７２】
一方、パッチ４０が存在する部分は背景板３２ｃの低濃度部が裏当てに使用されるため、シェーディング補正時と同じ条件でパッチ４０を読み取ることができる。
【００７３】
図１２は、用紙の裏当てに使用する背景板を、両端が高濃度部で中間が低濃度部の背景板３２ｃと全体が白（低濃度部）の背景板３２ｆとに読み取り動作中に切り替える場合を示している。図の左側には読み取り中の背景板の遷移を示し、図の中央には読み取られるキャリブレーションチャート６１を示し、図の右側には読み取り画像６７を示している。
【００７４】
搬送部１５によって搬送されて来るキャリブレーションチャート６１の先端および後端を用紙センサ１６によって読み取り位置の上流で検出する。背景板ユニット３０は、この検出結果に基づいてキャリブレーションチャート６１の先端、後端が読み取り位置を通過するタイミングを認識する。そして、図１２に示すタイミングで背景板３２ｃと背景板３２ｆとを切り替える。
【００７５】
詳細には、読み取り開始前から、キャリブレーションチャート６１の先端から所定の長さだけ後端側の箇所が読み取り位置を通過するまでの期間Ｖ１は、両端部が高濃度部で中間が低濃度部の背景板３２ｃを使用する。その後、全体が白（低濃度部）の背景板３２ｆに切り替える。背景板３２ｆは、キャリブレーションチャート６１の後端から所定の長さだけ先端側の箇所が読み取り位置を通過するまで（期間Ｖ２）使用し、その後、再び、両端部が高濃度部で中間が低濃度部の背景板３２ｃに切り替える（期間Ｖ３）。
【００７６】
これによりキャリブレーションチャート６１の先端および後端のエッジ、およびキャリブレーションチャート６１の幅方向の両エッジ（搬送方向に沿ったエッジ）は、用紙の地の色と背景板３２ｃの高濃度部分との境界が大きな濃度差となって用紙の四隅近傍（図中、破線の円６８で示す部分）に現われることで検出可能になる。
【００７７】
この場合、用紙の四隅近傍以外はすべて裏当てとして低濃度部が使用されるので、用紙の四隅を除く広い範囲にパッチを配列することができる。
【００７８】
図１３は、用紙のエッジからパッチの位置を推定する手順の概念を示している。同図（ａ）は、読み取り画像７０において検出された用紙７１のエッジから、読み取り画像７０における用紙の四隅の位置を特定し、これら四隅の位置を基準にパッチ４０の位置を特定する様子を示している。用紙７１の四隅の位置を特定することで、斜行した用紙を読み取った場合でも正確にパッチ４０の位置を求めることができる。
【００７９】
同図（ｂ）は、読み取り画像７０における用紙７１のエッジから該用紙７１の隅位置を特定し、この隅位置から予め定められたトンボ等の基準マーク７２の位置を特定する。基準マーク７２を解析することで用紙の斜行等を検出することができる。そして、基準マーク７２を基準にしてパッチの位置を特定する。
【００８０】
図１４は、背景板ユニット３０の他の構成例を示している。図３に示した回転式の複合背景部材３１に代えて、同図（ａ）に示すように、スライド式の複合背景板８１を使用する。読み取り位置において読み取られる各ラインの幅は十分狭いので、濃淡パターンの異なる各背景板に必要な搬送方向の幅は０．５ｃｍから１ｃｍもあれば十分である。そこで、図１４（ｂ）に示すように、１枚の平板に図４の背景板３２ａ〜３２ｆに相当する６種類のパターンを配列した複合背景板８１を読取部２０に対向配置し、この複合背景板８１を搬送方向にスライド移動させることで、所望のパターンの部分が読み取り位置に対向するように切り替える。なお、同図（ｂ）に示す段階的な複合背景板８１に代えて、同図（ｃ）に示すような無段階の複合背景板８２を使用してもよい。
【００８１】
このように、本実施の形態に係る画像読取装置１０では、キャリブレーション用のパッチが形成されたキャリブレーションチャートを読み取る際に、背景板のうち、用紙のエッジを跨ぐ（先端・後端のエッジ、および用紙の幅方向のエッジ）部分を黒色等の高濃度部とし、キャリブレーション用のパッチのある箇所に対応する部分は白色等の低濃度部分になるように、背景板の濃淡パターンを定めたり、複数種類の背景板を読み取り中に切り替えたりするので、読み取り画像において用紙のエッジを的確に検出することが可能になると共に、パッチ部分の画像を適切に読み取ることができる。
【００８２】
これにより、たとえば、印刷装置５から出力されたキャリブレーションチャートの画像を後段の画像読取装置１０で直ちに読み取り、その読み取り画像を解析して用紙のエッジ検出を行い、該検出したエッジ位置から各パッチの位置を特定して色再現性の補正や印刷位置を補正するといった一連の作業を、自動的に行うことが可能になる。
【００８３】
また、低濃度部の長さが異なる複数種類の背景板３２ｂ〜３２eを切り替えることで、様々な用紙サイズのキャリブレーションチャートに対応することができる。すなわち、読み取り画像においてキャリブレーションチャートのエッジ位置が明確になるので、そのエッジ位置を基準にして様々な用紙サイズにおいて読み取り画像の中のパッチ位置を正確に特定することができる。
【００８４】
トンボなどの位置決め用の基準マーク７２の位置解析を行う場合でも、検出した用紙のエッジ位置を基準に基準マークの探索範囲を絞り込むことができるので、効率的かつ高い信頼性で基準マーク７２を検出することができる。
【００８５】
また、表裏見当調整など正確な位置情報を得るには基準位置としての用紙のエッジ検出が不可欠であり、その調整パターンとキャリブレーションカラーパッチの調整を１枚の印刷出力とその読み取り解析で実現することができ、調整用に使用する用紙の量を削減することができる。
【００８６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８７】
実施の形態では、高濃度部を黒色、低濃度部を白色とした例を示したが、高濃度部は用紙の地の色より十分に濃い色であれば黒色に限定されない。また、低濃度部はシェーディング補正に使用される背景板の色と同一であることが好ましいが、パッチの読み取りに与える影響が少ない範囲においてある程度の薄いグレーや乳白色などであってもかまわない。
【００８８】
背景板には、たとえば、電子ペーパなどの表示装置を使用してもよい。表示内容を書き換えることで、任意の濃淡パターンに変更することができる。
【００８９】
実施の形態では、印刷装置５の後段に接続されて、印刷装置５で印刷出力されたキャリブレーションチャートを取り込んで自動的に読み取る画像読取装置１０を例示したが、本発明の画像読取装置はこれに限定されるものではない。ユーザがセットしたキャリブレーションチャートを読み取るように構成されてもよい。
【００９０】
キャリブレーションチャートおよびその周囲の外側領域を含む矩形領域等の全体を一度に読み取る方式であってもかまわない。この場合、背景板は、キャリブレーションチャートより一回り以上大きなサイズのものにされる。たとえば、図９〜図１２の各左側に示す背景板を使用すればよい。
【符号の説明】
【００９１】
３…印刷システム
５…印刷装置
１０…画像読取装置
１１…ＣＰＵ
１２…ＲＯＭ
１３…ＲＡＭ
１４…不揮発メモリ
１５…搬送部
１５ａ…搬送ガイド板
１５ｂ…搬送ローラ
１６…用紙センサ
１７…解析部
１８…外部Ｉ／Ｆ部
２０…読取部
３０…背景板ユニット
３１…複合背景部材
３２ａ〜３２ｆ…背景板
４０…パッチ
４０ａ…前半のパッチ群
４０ｂ…後半のパッチ群
４１…キャリブレーションチャート
４２…読み取り画像
４３…用紙と高濃度部との境界が生じる四隅のエリア
４５…キャリブレーションチャート
４７…読み取り画像
４８…用紙と高濃度部との境界が生じる四隅のエリア
５０…背景板
５０ａ…部分的な高濃度部
５１…キャリブレーションチャート
５２…読み取り画像
５３…用紙と部分的な高濃度部との境界が生じるエリア
６１…キャリブレーションチャート
６２…読み取り画像
６４…用紙と高濃度部との境界が生じるエリア
６５…読み取り画像
６７…読み取り画像
７０…読み取り画像
７１…用紙
７２…基準マーク
６８…用紙と高濃度部との境界が生じる四隅のエリア
８１…複合背景板
８２…複合背景板
Ｅｈ…用紙の幅方向の外側領域
Ｅｖ…用紙の長手方向（搬送方向）の外側領域
Ｌ…用紙の長手方向の長さ
Ｐ…用紙
Ｒ…矩形の読み取り範囲
Ｒｈ…読み取り方向の読み取り範囲
Ｒｖ…搬送方向の読み取り範囲
Ｖ１〜Ｖ５…所定の背景板に切り替えている期間
Ｗ…用紙の幅
【図１】
2014116676.tif 000003
【図２】
2014116676.tif 000004
【図３】
2014116676.tif 000005
【図４】
2014116676.tif 000006
【図５】
2014116676.tif 000007
【図６】
2014116676.tif 000008
【図７】
2014116676.tif 000009
【図８】
2014116676.tif 000010
【図９】
2014116676.tif 000011
【図１０】
2014116676.tif 000012
【図１１】
2014116676.tif 000013
【図１２】
2014116676.tif 000014
【図１３】
2014116676.tif 000015
【図１４】
2014116676.tif 000016